(57)【要約】【課題】本発明は、サーバから治療データを取得し、取得した治療データを医療情報端末に供給できるデータ中継装置を実現することを目的とする。【解決手段】データ中継装置７は、医療情報端末８との通信が可能であり治療データサーバ４との通信が不可能な第１通信方法と、治療データサーバ４との通信が可能であり医療情報端末８との通信が不可能な第２通信方法とを切り換える切換部７４５と、第２通信方法を使用して治療データサーバ４から治療データを取得する治療データ取得部７４３と、第１通信方法を使用して医療情報端末８に治療データを供給する治療データ供給部７４４と、治療データ取得部７４３が治療データを取得する間、第１通信方法から第２通信方法に切り換えるように制御する切換制御部７４２と、を有する。【選択図】図１
2020014153.tif 000002
【特許請求の範囲】
【請求項１】
診療記録を記憶する医療情報端末が接続されるプライベートネットワークである第１ネットワークに直接接続され、且つ、前記医療情報端末との通信が禁止されている第２ネットワークを介して、治療データを供給する治療データサーバに接続されたデータ中継装置であって、
前記医療情報端末との通信が可能であり、且つ、前記治療データサーバとの通信が不可能な第１通信方法と、前記治療データサーバとの通信が可能であり、且つ、前記医療情報端末との通信が不可能な第２通信方法との間で前記データ中継装置の使用する通信方法を切り換える切換部と、
前記第２通信方法を使用して、前記治療データサーバから前記第２ネットワークを介して、前記治療データを取得する治療データ取得部と、
前記第１通信方法を使用して、前記第１ネットワークを介して前記医療情報端末に、前記治療データを供給する治療データ供給部と、
前記治療データ取得部が前記治療データを取得する間、前記データ中継装置の使用する通信方法を前記第１通信方法から前記第２通信方法に切り換えるように前記切換部を制御する切換制御部と、
を有することを特徴とするデータ中継装置。
【請求項２】
前記第１通信方法は、前記医療情報端末と通信可能、且つ、前記治療データサーバと通信不可能な第１通信プロトコルを使用した通信方法であり、
前記第２通信方法は、前記医療情報端末と通信不可能、且つ、前記治療データサーバと通信可能な第２通信プロトコルを使用した通信方法である、請求項１に記載のデータ中継装置。
【請求項３】
前記第１ネットワークに接続され、且つ、前記第２ネットワークに接続されない第１通信部と、
前記第２ネットワークに接続され、且つ、前記第１ネットワークに接続されない第２通信部と、をさらに有し、
前記第１通信方法は、前記治療データを前記第１通信部を介して前記医療情報端末に送信する通信方法であり、前記第２通信方法は、前記治療データを前記第２通信部を介して前記治療データサーバから受信する通信方法である、請求項１に記載のデータ中継装置。
【請求項４】
前記切換制御部は、前記治療データ供給部が前記治療データを供給する間、前記データ中継装置の使用する通信方法を前記第２通信方法から前記第１通信方法に切り換えるように前記切換部を制御する、請求項１〜３のいずれか一項に記載のデータ中継装置。
【請求項５】
診療記録を記憶する医療情報端末が接続されるプライベートネットワークである第１ネットワークに直接接続され、且つ、前記医療情報端末との通信が禁止されている第２ネットワークを介して、治療データを供給する治療データサーバに接続されたデータ中継装置の制御方法であって、
前記医療情報端末との通信が可能であり、且つ、前記治療データサーバとの通信が不可能な第１通信方法と、前記治療データサーバとの通信が可能であり、且つ、前記医療情報端末との通信が不可能な第２通信方法との間で前記データ中継装置の使用する通信方法を切り換え、
前記第２通信方法を使用して、前記治療データサーバから前記第２ネットワークを介して、前記治療データを取得し、
前記第１通信方法を使用して、前記第１ネットワークを介して前記医療情報端末に、前記治療データを供給し、
前記治療データを取得する間、前記データ中継装置の使用する通信方法を前記第１通信方法から前記第２通信方法に切り換えるように制御する、
ことを含むことを特徴とする制御方法。
【請求項６】
診療記録を記憶する医療情報端末が接続されるプライベートネットワークである第１ネットワークに直接接続され、且つ、前記医療情報端末との通信が禁止されている第２ネットワークを介して、治療データを供給する治療データサーバに接続されたデータ中継装置の制御プログラムであって、
前記医療情報端末との通信が可能であり、且つ、前記治療データサーバとの通信が不可能な第１通信方法と、前記治療データサーバとの通信が可能であり、且つ、前記医療情報端末との通信が不可能な第２通信方法との間で前記データ中継装置の使用する通信方法を切り換え、
前記第２通信方法を使用して、前記治療データサーバから前記第２ネットワークを介して、前記治療データを取得し、
前記第１通信方法を使用して、前記第１ネットワークを介して前記医療情報端末に、前記治療データを供給し、
前記治療データを取得する間、前記データ中継装置の使用する通信方法を前記第１通信方法から前記第２通信方法に切り換えるように制御する、
ことを前記データ中継装置に実行させることを特徴とする制御プログラム。
【発明の詳細な説明】
【技術分野】
【０００１】
本発明は、データ中継装置、データ中継装置の制御方法及びデータ中継装置の制御プログラムに関する。
【背景技術】
【０００２】
睡眠時に気道が閉塞して無呼吸状態になる睡眠時無呼吸症候群の治療法として、患者の睡眠時に加圧された呼吸用気体を継続的に鼻孔に供給することで気道を広げ、睡眠時の無呼吸を防止するＣＰＡＰ（Continuous Positive Airway Pressure）療法が知られている。加圧された呼吸用気体を継続的に鼻孔に供給する装置をＣＰＡＰ装置と称する。
【０００３】
例えば、特許文献１には、医療機器の遠隔監視システムが記載されている。医療機器の一種であるＣＰＡＰ装置は、ＣＰＡＰ装置の使用日数及び使用時間等の使用状況、患者の呼吸の状態を検出して算出したＡＩ（Apnea Index）、ＡＨＩ（Apnea Hypopnea Index）等の指数等を、治療データとして記憶する。ＡＩは睡眠１時間あたりの無呼吸の回数を示し、ＡＨＩは睡眠１時間あたりの無呼吸と低呼吸との合計回数を示す。ＣＰＡＰ装置は、インターネット等の通信ネットワークを介して、ＣＰＡＰ装置を提供する事業者が管理するサーバへ治療データを送信することができる。
【０００４】
サーバは、ＣＰＡＰ装置から治療データを受信し、患者が治療を受けている病院が管理する端末装置からの要求に応じて、そのコンピュータへ治療データを送信することができる。ＣＰＡＰ装置から送信された治療データは、病院において医師が患者を指導する等の用途に使用される。
【先行技術文献】
【特許文献】
【０００５】
【特許文献１】特開２０１７−１４６８９１号公報
【発明の概要】
【発明が解決しようとする課題】
【０００６】
近年、診療記録を電子化して管理可能な医療情報システムが普及しつつある。医療情報システムを使用する場合、診療記録を作成する医療情報端末が、事業者が管理するサーバに記憶された治療データ等を読み取り、電子カルテに反映できると、診療記録の入力の手間が軽減される。しかし、秘密性の高い診療記録の情報を扱う医療情報端末が、事業者が管理するサーバから治療データを取得する場合、医療情報端末は、プライベートネットワークである病院内ネットワークの外部と通信することとなる。医療情報端末がプライベートネットワークの外部と通信可能な状態であると、診療記録が病院の外部に流出するリスクが高く、診療記録の管理上好ましくない。
【０００７】
診療記録が病院の外部に流出するリスクを減らすため、医療情報端末とプライベートネットワークの外部との通信を禁止し、医療情報端末に治療データを供給するためのデータ中継装置をプライベートネットワーク内に配置することが考えられる。データ中継装置の一例は、ＶＰＮ（Virtual Private Network）接続を使用する通信によってサーバから治療データを取得し、取得した治療データをＶＰＮ接続を使用しない通信によって医療情報端末に供給する装置である。
【０００８】
しかし、ＶＰＮ接続を使用する通信と使用しない通信においては、通信の宛先の指定方法等、治療データを送受信する際の処理内容が異なる。データ中継装置は、治療データを事業者が管理するサーバから取得可能な状態に設定すると医療情報端末に供給できず、治療データを医療情報端末に供給可能な状態に設定すると事業者が管理するサーバから取得できない。このため、事業者が管理するサーバから治療データを取得し、取得した治療データを医療情報端末に供給できるデータ中継装置を実現することができなかった。
【０００９】
本発明は、医療情報端末との通信が禁止されているサーバから治療データを取得し、取得した治療データを医療情報端末に供給できるデータ中継装置を実現することを目的とする。
【課題を解決するための手段】
【００１０】
本発明に係るデータ中継装置は、診療記録を記憶する医療情報端末が接続されるプライベートネットワークである第１ネットワークに直接接続され、且つ、医療情報端末との通信が禁止されている第２ネットワークを介して、治療データを供給する治療データサーバに接続されたデータ中継装置であって、医療情報端末との通信が可能であり、且つ、治療データサーバとの通信が不可能な第１通信方法と、治療データサーバとの通信が可能であり、且つ、医療情報端末との通信が不可能な第２通信方法との間でデータ中継装置の使用する通信方法を切り換える切換部と、第２通信方法を使用して、治療データサーバから第２ネットワークを介して、治療データを取得する治療データ取得部と、第１通信方法を使用して、第１ネットワークを介して医療情報端末に、治療データを供給する治療データ供給部と、治療データ取得部が治療データを取得する間、データ中継装置の使用する通信方法を第１通信方法から第２通信方法に切り換えるように切換部を制御する切換制御部と、を有する。
【００１１】
本発明に係るデータ中継装置において、第１通信方法は、医療情報端末と通信可能、且つ、治療データサーバと通信不可能な第１通信プロトコルを使用した通信方法であり、第２通信方法は、医療情報端末と通信不可能、且つ、治療データサーバと通信可能な第２通信プロトコルを使用した通信方法である。
【００１２】
本発明に係るデータ中継装置は、第１ネットワークに接続され、且つ、第２ネットワークに接続されない第１通信部と、第２ネットワークに接続され、且つ、第１ネットワークに接続されない第２通信部と、をさらに有し、第１通信方法は、治療データを第１通信部を介して医療情報端末に送信する通信方法であり、第２通信方法は、治療データを第２通信部を介して治療データサーバから受信する通信方法である。
【００１３】
本発明に係るデータ中継装置において、切換制御部は、治療データ供給部が治療データを供給する間、データ中継装置の使用する通信方法を第２通信方法から第１通信方法に切り換えるように切換部を制御する。
【００１４】
本発明に係るデータ中継装置の制御方法は、診療記録を記憶する医療情報端末が接続されるプライベートネットワークである第１ネットワークに直接接続され、且つ、医療情報端末との通信が禁止されている第２ネットワークを介して、治療データを供給する治療データサーバに接続されたデータ中継装置の制御方法であって、医療情報端末との通信が可能であり、且つ、治療データサーバとの通信が不可能な第１通信方法と、治療データサーバとの通信が可能であり、且つ、医療情報端末との通信が不可能な第２通信方法との間でデータ中継装置の使用する通信方法を切り換え、第２通信方法を使用して、治療データサーバから第２ネットワークを介して、治療データを取得し、第１通信方法を使用して、第１ネットワークを介して医療情報端末に、治療データを供給し、治療データを取得する間、データ中継装置の使用する通信方法を第１通信方法から第２通信方法に切り換えるように切換部を制御する、ことを含む。
【００１５】
本発明に係るデータ中継装置の制御プログラムは、診療記録を記憶する医療情報端末が接続されるプライベートネットワークである第１ネットワークに直接接続され、且つ、医療情報端末との通信が禁止されている第２ネットワークを介して、治療データを供給する治療データサーバに接続されたデータ中継装置の制御プログラムであって、医療情報端末との通信が可能であり、且つ、治療データサーバとの通信が不可能な第１通信方法と、治療データサーバとの通信が可能であり、且つ、医療情報端末との通信が不可能な第２通信方法との間でデータ中継装置の使用する通信方法を切り換え、第２通信方法を使用して、治療データサーバから第２ネットワークを介して、治療データを取得し、第１通信方法を使用して、第１ネットワークを介して医療情報端末に、治療データを供給し、治療データを取得する間、データ中継装置の使用する通信方法を第１通信方法から第２通信方法に切り換えるように制御する、ことをデータ中継装置に実行させる。
【発明の効果】
【００１６】
本発明に係るデータ中継装置によれば、医療情報端末との通信が禁止されているサーバから治療データを取得し、取得した治療データを医療情報端末に供給できる。
【図面の簡単な説明】
【００１７】
【図１】医療情報システム１の概略構成の一例を示す図である。
【図２】データ中継装置７の概略構成の一例を示す図である。
【図３】医療情報端末８の概略構成の一例を示す図である。
【図４】医療情報システム１の動作の一例を示すフローチャートである。
【図５】Ｓ１１で示されるプログラム取得処理の動作シーケンスの一例を示す図である。
【図６】Ｓ１２で示されるＶＰＮ接続確立処理の動作シーケンスの一例を示す図である。
【図７】Ｓ１３で示される治療データ取得処理の動作シーケンスの一例を示す図である。
【図８】Ｓ１４で示されるＶＰＮ接続切断処理の動作シーケンスの一例を示す図である。
【図９】Ｓ１５で示される電子カルテ処理の動作シーケンスの一例を示す図である。
【図１０】第１変形例に係る医療情報システム１´の概略構成の一例を示す図である。
【図１１】第１変形例に係るデータ中継装置７´の概略構成の一例を示す図である。
【図１２】第１変形例に係る医療情報システム１´の動作の一例を示すフローチャートである。
【図１３】Ｓ１３´で示される治療データ取得処理の動作シーケンスの一例を示す図である。
【図１４】Ｓ１５´で示される電子カルテ処理の動作シーケンスの一例を示す図である。
【発明を実施するための形態】
【００１８】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１９】
本システムは、治療データサーバ、データ中継装置、医療情報サーバ、医療情報端末等を有する。治療データサーバは、通信装置の一例であり、ＣＰＡＰ装置から取得した、患者の治療データを供給するサーバである。ここで、治療データとは、ＣＰＡＰ装置の使用日数及び使用時間等の使用状況、ＡＩ、ＡＨＩ、送気圧力、送気リーク、装置設定値等の指数が例示される。データ中継装置は、第１通信方法と第２通信方法とを切り換える切換部を有する。第１通信方法は、医療情報端末との通信が可能であり、且つ、治療データサーバとの通信が不可能な通信方法であり、第２通信方法は、治療データサーバとの通信が可能であり、且つ、医療情報端末との通信が不可能な通信方法である。医療情報サーバとは、患者に関する診療記録等を記憶するサーバであり、電子カルテシステム・検査データシステム・PACS・オーダリングシステム・医事システム等が例示される。医療情報端末とは、医療情報を入力・出力する端末である。
【００２０】
データ中継装置及び医療情報端末は同一のプライベートネットワークの内部に配置され、治療データサーバはプライベートネットワークの外部に配置される。医療情報端末は、プライベートネットワークの外部との通信が禁止されている。
【００２１】
データ中継装置は、例えば１日１回所定の時刻に第２通信方法を使用して治療データサーバから治療データを取得する。治療データサーバから治療データを取得した後、データ中継装置は、切換部によって、使用する通信方法を第２通信方法から医療情報端末との通信が可能な第１通信方法に切り換えて、医療情報端末に治療データを供給する。これにより、データ中継装置は、治療データサーバから治療データを取得する間以外は、医療情報端末に治療データを供給することができる。
【００２２】
データ中継装置は、複数の治療データサーバから治療データを取得してもよい。そのとき、データ中継装置と複数の治療データサーバ間の通信は、同じ通信方法を選択しても良いし、異なる通信方法を選択してもよい。
【００２３】
＜実施形態＞
図１は、医療情報システム１の概略構成の一例を示す図である。
【００２４】
医療情報システム１は、ＣＰＡＰ装置２、ルータ３、治療データサーバ４、ＶＰＮ装置５、ファイアウォール６、データ中継装置７、医療情報端末８、電子カルテサーバ９等を有する。
【００２５】
ファイアウォール６、データ中継装置７、医療情報端末８及び電子カルテサーバ９は、病院のプライベートネットワークである第１ネットワーク１ａに接続されている。ルータ３、治療データサーバ４及びＶＰＮ装置５は、治療データ供給事業者のプライベートネットワークである第３ネットワーク１ｃに接続されている。ＶＰＮ装置５及びファイアウォール６は、インターネット等の第２ネットワーク１ｂを介して接続されており、ＣＰＡＰ装置２及びルータ３は、携帯電話網等の第４ネットワーク１ｄを介して接続されている。このように、データ中継装置７は、医療情報端末８が接続されているプライベートネットワークである第１ネットワーク１ａに直接接続され、医療情報端末８との通信が禁止されている第２ネットワーク１ｂを介して治療データサーバに接続される。
【００２６】
ＣＰＡＰ装置２は、患者がＣＰＡＰ療法を実行するための装置であり、患者宅に設置されている。ＣＰＡＰ装置２は、ＡＩ、ＡＨＩ等の指数を含む治療データを、第４ネットワーク１ｄ及びルータ３を介して治療データサーバ４に１日１回送信する。
【００２７】
ルータ３は、治療データサーバ４等が第３ネットワーク１ｃの外部と通信するときにパケットのルーティングを実行するルータである。
【００２８】
ＶＰＮ装置５は、データ中継装置７とＶＰＮ接続する装置の一例であり、治療データサーバ４及びデータ中継装置７に対して仮想的なプライベートネットワーク、即ちＶＰＮを提供する。ＶＰＮ装置５は、例えばＳＳＬ（Secure Socket Layer）−ＶＰＮのＬ２フォワーディング方式によるＶＰＮを提供する。
【００２９】
ファイアウォール６は、第１ネットワーク１ａに接続された各装置と第２ネットワーク１ｂに接続された装置との間の通信の可否を判定し、制御する装置である。ファイアウォール６は、データ中継装置７とＶＰＮ装置５との間のＶＰＮ接続に関連する通信は許可するが、他の通信は許可しないように設定されている。ファイアウォール６は、さらにデータ中継装置７とＶＰＮ装置５との通信に対して、第１ネットワーク１ａのプライベートアドレスと第２ネットワーク１ｂのグローバルアドレスとの変換を実行する。ファイアウォール６は、例えばＮＡＴ（Network Address Translation）、ＮＡＰＴ（Network Address Port Translation）等の機能を使用してプライベートアドレスとグローバルアドレスとの変換を実行する。
【００３０】
図２は、データ中継装置７の概略構成の一例を示す図である。
【００３１】
データ中継装置７は、第２通信方式を用いて、治療データサーバ４から治療データを取得し、第１通信方式を用いて、取得した治療データを医療情報端末８に供給する。そのためにデータ中継装置７は、通信部７１と、入力部７２と、記憶部７３と、処理部７４とを有する。
【００３２】
通信部７１は、Ｅｔｈｅｒｎｅｔ等の有線の通信インターフェース回路を有する。通信部７１は、第１ネットワーク１ａ及び第２ネットワーク１ｂを介して治療データサーバ４等と、第１ネットワーク１ａを介して医療情報端末８等と通信し、治療データサーバ４、医療情報端末８等から受信したデータを処理部７４に供給する。通信部７１は、処理部７４から供給されたデータを治療データサーバ４、医療情報端末８等に送信する。
【００３３】
入力部７２は、データ中継装置７の操作が可能であればどのようなデバイスでもよく、例えば、キーボードである。入力部７２は、データ中継装置７の管理者の指示を受け付け、受け付けた指示に対応する信号を発生し、処理部７４に出力する。
【００３４】
記憶部７３は、例えば、半導体メモリ、磁気ディスク装置、及び光ディスク装置のうちの少なくとも一つを有する。記憶部７３は、処理部７４による処理に用いられるドライバプログラム、オペレーティングシステムプログラム、アプリケーションプログラム、データ等を記憶する。
【００３５】
例えば、記憶部７３は、ドライバプログラムとして、通信部７１を制御する通信デバイスドライバプログラム等を記憶する。また、記憶部７３は、オペレーティングシステムプログラムとして、ＴＣＰ／ＩＰ（Transmission Control Protocol / Internet Protocol）等の通信方式による接続制御プログラム等を記憶する。また、記憶部７３は、アプリケーションプログラムとして、各種データの送受信を行うデータ処理プログラム等を記憶する。コンピュータプログラムは、例えばＣＤ−ＲＯＭ（Compact Disc Read Only Memory）、ＤＶＤ−ＲＯＭ（Digital Versatile Disc Read Only Memory）等のコンピュータ読み取り可能な可搬型記録媒体から、公知のセットアッププログラム等を用いて記憶部７３にインストールされてもよい。
【００３６】
記憶部７３には、患者が診療を受けている病院を一意に識別する病院ＩＤ（Identification Data）、各病院内で患者を一意に識別する患者ＩＤ及び各患者の治療データが相互に関連付けられて記憶されている。
【００３７】
処理部７４は、一又は複数個のプロセッサ及びその周辺回路を有する。処理部７４は、データ中継装置７の全体的な動作を統括的に制御し、例えば、制御装置及び演算装置を有するＣＰＵである。処理部７４は、データ中継装置７の各種処理が記憶部７３に記憶されているプログラム等に応じて適切な手順で実行されるように、通信部７１等の動作を制御する。処理部７４は、記憶部７３に記憶されているプログラム（ドライバプログラム、オペレーティングシステムプログラム、アプリケーションプログラム等）に基づいて処理を実行する。また、処理部７４は、複数のプログラム（アプリケーションプログラム等）を並列に実行できる。
【００３８】
処理部７４は、受信プログラム動作部７４１、切換制御部７４２、治療データ取得部７４３、治療データ供給部７４４及び切換部７４５を有する。切換部７４５は、送信パケット生成部７４６、受信パケット出力部７４７、格納部７４８、抽出部７４９、送信パケット出力部７５０及び受信パケット入力部７５１を有する。処理部７４が有するこれらの各部は、処理部７４が有するプロセッサ上で実行されるプログラムによって実装される機能モジュールである。あるいは、処理部７４が有するこれらの各部は、独立した集積回路、マイクロプロセッサ、又はファームウェアとしてデータ中継装置７に実装されてもよい。
【００３９】
図３は、医療情報端末８の概略構成の一例を示す図である。
【００４０】
医療情報端末８は、第１通信方式を用いて取得した治療データを含む診療記録を電子カルテサーバ９に供給する。そのために医療情報端末８は、端末通信部８１と、端末入力部８２と、端末表示部８３と、端末記憶部８４と、端末処理部８５とを有する。
【００４１】
端末通信部８１は、Ｅｔｈｅｒｎｅｔ等の有線の通信インターフェース回路を有する。端末通信部８１は、第１ネットワーク１ａを介してデータ中継装置７等と通信し、データ中継装置７等から受信したデータを端末処理部８５に供給する。端末通信部８１は、端末処理部８５から供給されたデータをデータ中継装置７等に送信する。
【００４２】
端末入力部８２は、医療情報端末８の操作が可能であればどのようなデバイスでもよく、例えば、キーボードである。端末入力部８２は、医療情報端末８の利用者の指示を受け付け、受け付けた指示に対応する信号を発生し、端末処理部８５に出力する。
【００４３】
端末表示部８３は、画像等の出力が可能であればどのようなデバイスでもよく、例えば、液晶ディスプレイ、有機ＥＬ（Electro−Luminescence）ディスプレイ、ＣＲＴ（Cathode Ray Tube）ディスプレイ等である。端末表示部８３は、端末処理部８５から供給されるデータに応じた画像等を表示する。
【００４４】
端末記憶部８４は、例えば、半導体メモリ、磁気ディスク装置、及び光ディスク装置のうちの少なくとも一つを有する。端末記憶部８４は、端末処理部８５による処理に用いられるドライバプログラム、オペレーティングシステムプログラム、アプリケーションプログラム、データ等を記憶する。
【００４５】
例えば、端末記憶部８４は、ドライバプログラムとして、端末通信部８１を制御する通信デバイスドライバプログラム等を記憶する。また、端末記憶部８４は、オペレーティングシステムプログラムとして、ＴＣＰ／ＩＰ等の通信方式による接続制御プログラム等を記憶する。また、端末記憶部８４は、アプリケーションプログラムとして、各種データの送受信を行うデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて端末記憶部８４にインストールされてもよい。
【００４６】
端末処理部８５は、一又は複数個のプロセッサ及びその周辺回路を有する。端末処理部８５は、医療情報端末８の全体的な動作を統括的に制御し、例えば、制御装置及び演算装置を有するＣＰＵである。端末処理部８５は、医療情報端末８の各種処理が端末記憶部８４に記憶されているプログラム等に応じて適切な手順で実行されるように、端末通信部８１等の動作を制御する。端末処理部８５は、端末記憶部８４に記憶されているプログラム（ドライバプログラム、オペレーティングシステムプログラム、アプリケーションプログラム等）に基づいて処理を実行する。また、端末処理部８５は、複数のプログラム（アプリケーションプログラム等）を並列に実行できる。
【００４７】
端末処理部８５は、診療記録取得部８５１、診療記録記憶部８５２、診療記録供給部８５３及び端末治療データ取得部８５４を有する。端末処理部８５が有するこれらの各部は、端末処理部８５が有するプロセッサ上で実行されるプログラムによって実装される機能モジュールである。あるいは、端末処理部８５が有するこれらの各部は、独立した集積回路、マイクロプロセッサ、又はファームウェアとして医療情報端末８に実装されてもよい。
【００４８】
電子カルテサーバ９は、患者に関する医師の診療記録を示す診療記録を記憶するサーバである。電子カルテサーバ９は、患者ＩＤを含む各患者の診療記録を記憶し、医療情報端末８からの要求に応じて、医療情報端末８に診療記録を送信する。電子カルテサーバ９は、医療情報端末８から診療記録を受信し、自ら記憶する診療記録を更新する。
【００４９】
図４は、医療情報システム１の動作の一例を示すフローチャートである。
【００５０】
以下、図４に示したフローチャートを参照しつつ、医療情報システム１の動作の例を説明する。以下に説明するフローチャートは、各装置において予め各装置の記憶部に記憶されているプログラムに基づき、主に各装置の処理部により各装置の各要素と協働して実行される。
【００５１】
最初に、データ中継装置７は、切換制御部７４２等として動作するプログラムをＶＰＮ装置５から取得するプログラム取得処理を実行する（Ｓ１１）。
【００５２】
次に、データ中継装置７は、取得したプログラムを使用して、ＶＰＮ装置５との間にＶＰＮ接続を確立するＶＰＮ接続確立処理を実行する（Ｓ１２）。次に、データ中継装置７は、治療データサーバ４からＶＰＮ装置５を介して治療データを取得する治療データ取得処理を実行する（Ｓ１３）。次に、データ中継装置７は、ＶＰＮ装置５との間に確立したＶＰＮ接続を切断するＶＰＮ接続切断処理を実行する（Ｓ１４）。データ中継装置７は、Ｓ１２〜Ｓ１４の処理を、例えば１日１回実行する。
【００５３】
次に、医療情報端末８は、必要時に電子カルテサーバ９から診療記録を取得し、データ中継装置７から治療データを取得し、治療データを反映させた診療記録を記憶する電子カルテ処理を実行する（Ｓ１５）。以上により、一連の動作は終了する。
【００５４】
図５は、Ｓ１１で示されるプログラム取得処理の動作シーケンスの一例を示す図である。
【００５５】
最初に、データ中継装置７の管理者は、以後の通信に使用する通信プログラムの受信指示を、入力部７２を介してデータ中継装置７に入力する（Ｓ２１）。この通信プログラムは、切換制御部７４２、治療データ取得部７４３、格納部７４８及び抽出部７４９として動作するプログラムを含む。次に、受信プログラム動作部７４１は、通信プログラムの送信要求を通信部７１を介してＶＰＮ装置５に送信する（Ｓ２２）。
【００５６】
次に、ＶＰＮ装置５は、データ中継装置７から通信プログラムの送信要求を受信する（Ｓ２３）。次に、ＶＰＮ装置５は、送信要求に応じて通信プログラムを含むインストーラをデータ中継装置７に送信する（Ｓ２４）。
【００５７】
次に、データ中継装置７の受信プログラム動作部７４１は、ＶＰＮ装置５からインストーラを受信する（Ｓ２５）。次に、受信プログラム動作部７４１は、受信したインストーラを実行する（Ｓ２６）。インストーラが実行されると、切換制御部７４２、治療データ取得部７４３、格納部７４８及び抽出部７４９として動作するプログラムは、記憶部７３に記憶される。次に、受信プログラム動作部７４１は、切換制御部７４２、治療データ取得部７４３、格納部７４８及び抽出部７４９の動作準備を完了させる（Ｓ２７）。以上により、一連のシーケンスは終了する。
【００５８】
図６は、Ｓ１２で示されるＶＰＮ接続確立処理の動作シーケンスの一例を示す図である。
【００５９】
最初に、切換制御部７４２は、処理部７４が提供するタイマー機能により、１日１回、所定の時刻に起動する（Ｓ３１）。次に、切換制御部７４２は、ＶＰＮ接続要求を切換部７４５に出力する。
【００６０】
次に、切換部７４５において、送信パケット生成部７４６は、宛先がＶＰＮ装置５でありデータ部分にＶＰＮ接続要求を含むＩＰパケットを生成する。この時点において、切換部７４５は、ＴＣＰ／ＩＰプロトコルを使用しＶＰＮ接続を使用しない第１通信方法を使用するように設定されている。切換部７４５は、第１通信方法を使用するとき、格納部７４８及び抽出部７４９を使用しないように設定されているため、送信パケット生成部７４６は、生成したＩＰパケットを送信パケット出力部７５０に出力する。
【００６１】
本実施形態において、データ中継装置７は、医療情報端末８等、第１ネットワーク１ａに接続された装置とは、ＴＣＰ／ＩＰプロトコルを使用した通信ができる。また、データ中継装置７は、治療データサーバ４等、プライベートネットワークである第３ネットワーク１ｃの内部にある装置とは、通常のＴＣＰ／ＩＰプロトコルを使用した通信ができない。これは、データ中継装置７が、ＩＰパケットの宛先に治療データサーバ４のプライベートネットワークを設定しても、第２ネットワーク１ｂに接続されたルータはそのＩＰパケットを適切にルーティングできないためである。ＴＣＰ／ＩＰプロトコルを使用する第１通信方法は、医療情報端末８と通信可能、且つ、治療データサーバ４と通信不可能な第１通信プロトコルを使用した通信方法であるといえる。
【００６２】
次に、送信パケット出力部７５０は、通信部７１を介してＶＰＮ接続要求を含むＩＰパケットを送信する（Ｓ３２）。
【００６３】
次に、ＶＰＮ装置５は、ＶＰＮ接続要求を含むＩＰパケットを受信する（Ｓ３３）。次に、ＶＰＮ装置５は、ＩＰパケットからＶＰＮ接続要求を抽出すると、ＶＰＮにおいて使用するプライベートＩＰアドレスＶをデータ中継装置７に割り当てる（Ｓ３４）。次に、ＶＰＮ装置５は、第３ネットワーク１ｃ内においてアドレスＶ宛に送信されたＩＰパケットをＶＰＮ装置５が受信するように設定する。次に、ＶＰＮ装置５は、ＶＰＮ接続の成功を示すＶＰＮ接続応答を含むＩＰパケットをデータ中継装置７に送信する（Ｓ３５）。
【００６４】
次に、データ中継装置７の受信パケット入力部７５１は、ＶＰＮ装置５が送信したＩＰパケットを通信部７１を介して受信する（Ｓ３６）。次に、受信パケット入力部７５１は、受信したＩＰパケットを受信パケット出力部７４７に出力する。次に、受信パケット出力部７４７は、ＩＰパケットからＶＰＮ接続応答を抽出し、切換制御部７４２に出力する。次に、切換制御部７４２は、入力されたＶＰＮ接続応答がＶＰＮ接続の成功を示すとき、使用する通信方法を、第１通信方法から第２通信方法に切り換えるように切換部７４５を制御する（Ｓ３７）。第２通信方法は、ＩＰパケットのカプセル化を実行する第２通信プロトコルを使用する通信方法である。
【００６５】
ＩＰパケットのカプセル化とは、ＩＰパケットを他のＩＰパケットのデータ部分に格納することを指し、ＩＰパケットの非カプセル化とは、ＩＰパケットのデータ部分に格納された他のＩＰパケットを抽出することを指す。ＶＰＮ装置５及びデータ中継装置７は、ＩＰパケットをカプセル化し、カプセル化されたＩＰパケットを非カプセル化する機能を有するが、医療情報端末８などの他の装置はこの機能を有さない。このため、データ中継装置７が第２通信方法を使用し、ＩＰパケットをカプセル化して医療情報端末８に送信しても、医療情報端末８は受信したＩＰパケットをカプセル化されていないものとして処理してしまう。医療情報端末８は、データ中継装置７が送信したＩＰパケットの内容を適切に判定することができないことから、データ中継装置７は、第２通信方法によって医療情報端末８と通信することができない。
【００６６】
Ｓ３７において、切換制御部７４２は、送信パケット生成部７４６の出力を格納部７４８に入力し、格納部７４８の出力を送信パケット出力部７５０に出力するように切換部７４５を切り換える。また、切換制御部７４２は、受信パケット入力部７５１の出力を抽出部７４９に入力し、抽出部７４９の出力を受信パケット出力部７４７に入力するように切換部７４５を切り換える。以上により、一連のシーケンスを終了する。
【００６７】
なお、切換制御部７４２は、データ中継装置７とＶＰＮ装置５との間で暗号化通信を実行するために、ＳＳＬ／ＴＬＳ（Transport Layer Security）で使用する暗号化用の共通鍵の生成等のためのネゴシエーションをＶＰＮ装置５と実行してもよい。また、ＶＰＮ装置５は、ＶＰＮ接続を要求した装置がＶＰＮ接続を許可すべき装置であるか否かを判定するために、認証処理をデータ中継装置７に対して実行してもよい。
【００６８】
図７は、Ｓ１３で示される治療データ取得処理の動作シーケンスの一例を示す図である。
【００６９】
最初に、切換制御部７４２は、Ｓ３７の処理の完了を検出すると、治療データ取得部７４３に対して治療データを取得するように指示する。次に、治療データ取得部７４３は、記憶部７３から病院ＩＤ及び患者ＩＤを取得して、病院ＩＤ及び患者ＩＤの１つ以上の組を含む第１送信要求を生成する。次に、治療データ取得部７４３は、第１送信要求を切換部７４５に出力する。
【００７０】
次に、切換部７４５において、送信パケット生成部７４６は、宛先に治療データサーバ４のプライベートアドレスを、データ部分に第１送信要求を格納したＩＰパケットを生成し、格納部７４８に出力する（Ｓ４１）。次に、格納部７４８は、第１送信要求を格納したＩＰパケットをカプセル化した他のＩＰパケットを生成する。具体的には、格納部７４８は、宛先にＶＰＮ装置５のグローバルアドレスを、データ部分に第１送信要求を格納したＩＰパケットを格納した他のＩＰパケットを生成する（Ｓ４２）。以後、他のＩＰパケットをＶＰＮパケットと称することがある。ＶＰＮパケットは、ＶＰＮ接続に使用する各種パラメータを伝達するための所定のフォーマットを有する。次に、格納部７４８は、ＶＰＮパケットを送信パケット出力部７５０に出力する。次に、送信パケット出力部７５０は、入力されたＶＰＮパケットを通信部７１を介して送信する（Ｓ４３）。
【００７１】
次に、ＶＰＮ装置５は、ファイアウォール６及び第２ネットワーク１ｂを介してＶＰＮパケットを受信し（Ｓ４４）、ＶＰＮパケットからＩＰパケットを抽出する。次に、ＶＰＮ装置５は、抽出したＩＰパケットを送信する（Ｓ４５）。ＩＰパケットの宛先は、Ｓ４１で格納された治療データサーバ４のプライベートアドレスである。
【００７２】
次に、治療データサーバ４は、ＩＰパケットを受信し（Ｓ４６）、ＩＰパケットから第１送信要求を抽出する（Ｓ４７）。次に、治療データサーバ４は、第１送信要求に含まれる病院ＩＤ及び患者ＩＤの全ての組に対応する治療データを選択し（Ｓ４８）、病院ＩＤ、患者ＩＤ及び治療データの１つ以上の組を含む第１送信応答を生成する（Ｓ４９）。次に、治療データサーバ４は、宛先にアドレスＶを、データ部分に第１送信応答を格納したＩＰパケットを生成し、送信する（Ｓ５０）。
【００７３】
次に、ＶＰＮ装置５は、ＩＰパケットを受信する（Ｓ５１）。次に、ＶＰＮ装置５は、宛先にデータ中継装置７に対応するグローバルアドレスを、データ部分にＩＰパケットを格納したＶＰＮパケットを生成する（Ｓ５２）。次に、ＶＰＮ装置５は、生成したＶＰＮパケットを送信する（Ｓ５３）。
【００７４】
次に、データ中継装置７の受信パケット入力部７５１は、第２ネットワーク１ｂ及びファイアウォール６を介して伝達されたＶＰＮパケットを通信部７１を介して受信し（Ｓ５４）、抽出部７４９に出力する。次に、抽出部７４９は、所定のフォーマットに従ってＶＰＮパケットからＩＰパケットを抽出し（Ｓ５５）、受信パケット出力部７４７に出力する。次に、受信パケット出力部７４７は、ＩＰパケットから第１送信応答を抽出し（Ｓ５６）、治療データ取得部７４３に出力する。次に、治療データ取得部７４３は、第１送信応答から病院ＩＤ、患者ＩＤ及び治療データの１つ以上の組を取得し、記憶部７３に記憶する（Ｓ５７）。以上により、一連のシーケンスは終了する。
【００７５】
図８は、Ｓ１４で示されるＶＰＮ接続切断処理の動作シーケンスの一例を示す図である。
【００７６】
最初に、切換制御部７４２は、Ｓ５７の処理の完了を検出すると、使用する通信方法を第２通信方法から第１通信方法に切り換えるように切換部７４５を制御する（Ｓ６１）。切換制御部７４２は、送信パケット生成部７４６の出力を送信パケット出力部７５０に入力し、受信パケット入力部７５１の出力を受信パケット出力部７４７に入力するように切換部７４５を切り換える。次に、切換制御部７４２は、ＶＰＮ装置５にＶＰＮ切断要求を送信する（Ｓ６２）。次に、切換制御部７４２は、所定の時刻まで休止する（Ｓ６３）。
【００７７】
次に、ＶＰＮ装置５は、ＶＰＮ切断要求を含むＩＰパケットを受信する（Ｓ６４）。次に、ＶＰＮ装置５は、ＩＰパケットからＶＰＮ切断要求を抽出し、ＶＰＮ切断要求に応じてプライベートＩＰアドレスＶのデータ中継装置７への割り当て及びアドレスＶ宛に送信されたＩＰパケットをＶＰＮ装置５が受信する設定を解除する（Ｓ６５）。以上により、一連のシーケンスを終了する。
【００７８】
図９は、Ｓ１５で示される電子カルテ処理の動作シーケンスの一例を示す図である。
【００７９】
最初に、医療情報端末８の使用者は、ある患者の電子カルテを参照するための電子カルテ参照指示を、端末入力部８２を介して医療情報端末８に入力する（Ｓ７１）。次に、診療記録取得部８５１は、入力に応じて患者ＩＤを含む診療記録送信要求を生成し、端末通信部８１を介して電子カルテサーバ９に送信する（Ｓ７２）。
【００８０】
次に、電子カルテサーバ９は、医療情報端末８から診療記録送信要求を受信する（Ｓ７３）。次に、電子カルテサーバ９は、送信要求で指定された患者ＩＤに対応する診療記録を医療情報端末８に送信する（Ｓ７４）。
【００８１】
次に、医療情報端末８の診療記録取得部８５１は、電子カルテサーバ９から診療記録を受信する（Ｓ７５）。次に、医療情報端末８の使用者は、診療記録に治療データを反映させるため、治療データを参照するための治療データ参照指示を、端末入力部８２を介して医療情報端末８に入力する。次に、端末治療データ取得部８５４は、端末記憶部８４から病院ＩＤを取得し、診療記録から患者ＩＤを取得して、病院ＩＤ及び患者ＩＤの組を含む第２送信要求を生成する。次に、端末治療データ取得部８５４は、第２送信要求を含むＩＰパケットを生成し、端末通信部８１を介してデータ中継装置７に送信する（Ｓ７６）。
【００８２】
次に、データ中継装置７の受信パケット入力部７５１は、第２送信要求を含むＩＰパケットを通信部７１を介して受信する（Ｓ７７）。切換部７４５は、Ｓ６１で第１通信方法に切り換えられているため、受信パケット入力部７５１は、受信したＩＰパケットを受信パケット出力部７４７に出力する。次に、受信パケット出力部７４７は、ＩＰパケットから第２送信要求を抽出し（Ｓ７８）、治療データ供給部７４４に出力する。
【００８３】
次に、治療データ供給部７４４は、記憶部７３に記憶される治療データの中から、第２送信要求に含まれる病院ＩＤ及び患者ＩＤに対応する治療データを選択する（Ｓ７９）。次に、治療データ供給部７４４は、選択した治療データを含む第２送信応答を生成する（Ｓ８０）。次に、治療データ取得部７４３は、医療情報端末８に治療データを供給するために第２送信応答を切換部７４５に出力する。
【００８４】
次に、切換部７４５において、送信パケット生成部７４６は、宛先が医療情報端末８でありデータ部分に第２送信応答を含むＩＰパケットを生成し、送信パケット出力部７５０に出力する。次に、送信パケット出力部７５０は、通信部７１を介して第２送信応答を含むＩＰパケットを送信する（Ｓ８１）。
【００８５】
次に、医療情報端末８の端末治療データ取得部８５４は、第１ネットワーク１ａ及び端末通信部８１を介して第２送信応答を含むＩＰパケットを受信し（Ｓ８２）、ＩＰパケットから第２送信応答を抽出する。次に、診療記録記憶部８５２は、第２送信応答に含まれる治療データを端末表示部８３に表示する。次に、診療記録記憶部８５２は、端末入力部８２を介して入力される医療情報端末８の使用者の指示に従って、治療データを診療記録へ反映させ、診療記録を記憶する（Ｓ８３）。次に、端末入力部８２を介して診療記録の保存指示が入力されると、診療記録供給部８５３は、診療記録を端末通信部８１を介して電子カルテサーバ９に送信する（Ｓ８４）。
【００８６】
次に、電子カルテサーバ９は、診療記録を受信し（Ｓ８５）、受信した診療記録と同一の患者ＩＤを有する診療記録を、受信した診療記録によって更新する（Ｓ８６）。以上により、一連のシーケンスは終了する。
【００８７】
実施形態に係るデータ中継装置７は、治療データ取得部７４３が治療データを取得する間、データ中継装置７の使用する通信方法を第１通信方法から第２通信方法に切り換える。データ中継装置７は、治療データを取得していない間に通信方法を第１通信方法に切り換え、治療データを医療情報端末８に提供可能にしていても、第２通信方法に切り換えて治療データを取得することができる。データ中継装置７は、治療データを取得した後に通信方法を第１通信方法に切り換えることによって、取得した治療データを医療情報端末８に供給することができる。
【００８８】
なお、実施形態においては、データ中継装置７は、治療データサーバ４から治療データを取得し、取得した治療データを医療情報端末８からの要求に応じて医療情報端末８に供給したが、他の方法で治療データを医療情報端末８に供給してもよい。例えば、医療情報端末８は、第２送信要求をデータ中継装置７に送信し、データ中継装置７は、第２送信要求に応じて第１送信要求を治療データサーバ４に送信してもよい。この場合、治療データサーバ４は、第１送信要求に応じて治療データを含む第１送信応答をデータ中継装置７に送信し、データ中継装置７は、受信した治療データを含む第２送信応答を医療情報端末８に送信することによって、治療データを医療情報端末８に供給する。
【００８９】
ここで、第２ネットワークへの接続方法は、インターネットＶＰＮを採用することが好ましい。かかる方法を用いれば、インターネット等の汎用の方法で、安価でセキュアに治療データを通信することができる。
【００９０】
さらに付け加えると、第２ネットワークへの接続方法は、ソフトウェアＶＰＮを採用することが、より好ましい。治療データサーバに対して、データ中継装置が多く必要になる場合が多く、データ中継装置ごとにハードウェアが必要としないソフトウェアＶＰＮを採用すると、多くのデータ中継装置とより安価に治療データを通信することができる。
【００９１】
さらに付け加えると、第２ネットワークへの接続方法は、クライアント型のソフトウェアＶＰＮを採用することが、より好ましい。クライアント型のソフトウェアＶＰＮを採用すると、偽サーバへの接続を防止でき、かつ接続できる端末を厳格に指定できるため、よりセキュアに治療データを通信することができる。
【００９２】
データ中継装置は、仮想ＮＩＣを有することが好ましい。仮想ＮＩＣにより、接続先ごとに通信方法を管理できることから、よりセキュアに治療データを通信することができる。
【００９３】
＜第１変形例＞
図１０は、第１変形例に係る医療情報システム１´の概略構成の一例を示す図である。
【００９４】
第１変形例に係る医療情報システム１´の概略構成は、ＶＰＮ装置５及びファイアウォール６を有さず、第２ネットワーク１ｂに代えて第５ネットワーク１ｅを有することが、図１に示す概略構成と異なる。第１変形例に係る医療情報システム１´の概略構成は、さらに、データ中継装置７´と治療データサーバ４との間の通信経路が閉域携帯電話網である第５ネットワーク１ｅであることが、図１に示す概略構成と異なる。第１変形例における医療情報システム１´のその他の構成は、同一符号が付された実施形態に係る構成と同一であるため、ここでは説明を省略する。
【００９５】
なお、ＣＰＡＰ２と治療データサーバ４との間の通信は、一般の携帯電話網である第４ネットワーク１ｄ上でデータを暗号化して実行されている。ＣＰＡＰ２から治療データサーバ４に送信するデータは、個人情報を含まないため、一般の通信利用者と同一の携帯電話網で送信しても比較的問題は少ない。これに対し、治療データサーバ４からデータ中継装置７´に送信するデータは、個人情報を含むため、物理的な通信網を一般の通信利用者と分けた閉域網を使用することによって安全性をより高めている。
【００９６】
図１１は、第１変形例に係るデータ中継装置７´の概略構成の一例を示す図である。
【００９７】
第１変形例に係るデータ中継装置７´の概略構成は、通信部７１に代えて通信部７１´を有し、通信部７１´が第１通信部１７１及び第２通信部１７２を有することが、図４に示すデータ中継装置７の概略構成と異なる。また、第１変形例に係るデータ中継装置７´の概略構成は、さらに受信プログラム動作部７４１、格納部７４８及び抽出部７４９を有さず、切換制御部７４２に代えて切換制御部７４２´を有することが、図４に示すデータ中継装置７の概略構成と異なる。第１変形例におけるデータ中継装置７´のその他の構成は、同一符号が付された実施形態に係る構成と同一であるため、ここでは説明を省略する。
【００９８】
第１通信部１７１は、Ｅｔｈｅｒｎｅｔ等の有線の通信インターフェース回路を有する。第１通信部１７１は、第１ネットワーク１ａを介して医療情報端末８等と通信し、医療情報端末８等から受信したデータを処理部７４´に供給する。第１通信部１７１は、処理部７４´から供給されたデータを医療情報端末８等に送信する。
【００９９】
第２通信部１７２は、ＬＴＥ（Long Term Evolution）等の無線の通信インターフェース回路を有する。第２通信部１７２は、第４ネットワーク１ｄを介して治療データサーバ４等と通信し、治療データサーバ４等から受信したデータを処理部７４´に供給する。第２通信部１７２は、処理部７４´から供給されたデータを治療データサーバ４等に送信する。
【０１００】
図１２は、第１変形例に係る医療情報システム１´の動作の一例を示すフローチャートである。
【０１０１】
第１変形例に係る医療情報システム１´のフローチャートは、Ｓ１１、Ｓ１２及びＳ１４の処理を有さず、Ｓ１３及びＳ１５の処理に代えてＳ１３´及びＳ１５´の処理を有することが、図４に示す実施形態に係るフローチャートと相違する。
【０１０２】
最初に、データ中継装置７は、治療データサーバ４から治療データを取得する治療データ取得処理を実行する（Ｓ１３´）。次に、医療情報端末８は、必要時に電子カルテサーバ９から診療記録を取得し、データ中継装置７から治療データを取得し、治療データを反映させた診療記録を記憶する電子カルテ処理を実行する（Ｓ１５´）。以上により、一連の動作は終了する。
【０１０３】
図１３は、Ｓ１３´で示される治療データ取得処理の動作シーケンスの一例を示す図である。
【０１０４】
第１変形例に係る治療データ取得処理の動作シーケンスは、Ｓ４１〜Ｓ４５、Ｓ５０〜Ｓ５５の処理に代えてＳ１４１〜Ｓ１４８の処理を有することが、図７に示す実施形態に係る動作シーケンスと相違する。Ｓ１４１〜Ｓ１４８の処理以外の第１変形例に係る治療データ取得処理の動作シーケンスにおける処理内容は、同一符号が付された実施形態に係る治療データ取得処理の動作シーケンスにおける処理内容と同一であるため、ここでは詳細な説明を省略する。
【０１０５】
最初に、切換制御部７４２´は、処理部７４´が提供するタイマー機能により、１日１回、所定の時刻に起動する（Ｓ１４１）。次に、切換制御部７４２´は、使用する通信方法を第１通信方法から第２通信方法に切り換えるように切換部７４５´を制御する（Ｓ１４２）。切換部７４５´は、送信パケット出力部７５０から出力するパケットの出力先及び受信パケット入力部７５１へ入力するパケットの入力元を、第１通信部１７１から第２通信部１７２に切り換える。
【０１０６】
次に、切換制御部７４２は、治療データ取得部７４３に対して治療データを取得するように指示する。次に、治療データ取得部７４３は、記憶部７３から病院ＩＤ及び患者ＩＤを取得して、病院ＩＤ及び患者ＩＤの１つ以上の組を含む第１送信要求を生成する。次に、治療データ取得部７４３は、第１送信要求を切換部７４５に出力する。
【０１０７】
次に、切換部７４５において、送信パケット生成部７４６は、宛先に治療データサーバ４のプライベートアドレスを、データ部分に第１送信要求を格納したＩＰパケットを生成し、送信パケット出力部７５０に出力する（Ｓ１４３）。次に、送信パケット出力部７５０は、入力されたＩＰパケットを第２通信部１７２を介して送信する（Ｓ１４４）。
【０１０８】
次に、治療データサーバ４は、Ｓ４６〜Ｓ４９の処理を実行する。次に、治療データサーバ４は、宛先にデータ中継装置７のプライベートアドレスを、データ部分に第１送信応答を格納したＩＰパケットを生成し、送信する（Ｓ１４５）。
【０１０９】
次に、データ中継装置７´の受信パケット入力部７５１は、ＩＰパケットを第２通信部１７２を介して受信し（Ｓ１４６）、受信パケット出力部７４７に出力する。次に、データ中継装置７´は、Ｓ５６及びＳ５７の処理を実行する。
【０１１０】
次に、切換制御部７４２´は、使用する通信方法を第２通信方法から第１通信方法に切り換えるように切換部７４５´を制御する（Ｓ１４７）。切換部７４５´は、送信パケット出力部７５０から出力するパケットの出力先及び受信パケット入力部７５１へ入力するパケットの入力元を、第２通信部１７２から第１通信部１７１に切り換える。
【０１１１】
次に、切換制御部７４２´は、自らを所定の時刻まで休止させる（Ｓ１４８）。以上により、一連のシーケンスを終了する。
【０１１２】
図１４は、Ｓ１５´で示される電子カルテ処理の動作シーケンスの一例を示す図である。
【０１１３】
第１変形例に係る電子カルテ処理の動作シーケンスは、Ｓ７７及びＳ８１の処理に代えてＳ１７１及びＳ１７２の処理を有することが、図９に示す実施形態に係る動作シーケンスと相違する。Ｓ１７１及びＳ１７２の処理以外の第１変形例に係る電子カルテ処理の動作シーケンスにおける処理内容は、同一符号が付された実施形態に係る電子カルテ処理の動作シーケンスにおける処理内容と同一であるため、ここでは詳細な説明を省略する。
【０１１４】
Ｓ７１〜Ｓ７６の処理の後、データ中継装置７の受信パケット入力部７５１は、第２送信要求を含むＩＰパケットを第１通信部１７１を介して受信する（Ｓ１７１）。次に、データ中継装置７は、Ｓ７８〜Ｓ８０の処理を実行する。次に、治療データ取得部７４３は、医療情報端末８に治療データを供給するために第２送信応答を切換部７４５に出力する。
【０１１５】
次に、切換部７４５において、送信パケット生成部７４６は、宛先が医療情報端末８でありデータ部分に第２送信応答を含むＩＰパケットを生成し、送信パケット出力部７５０に出力する。次に、送信パケット出力部７５０は、第１通信部１７１を介して第２送信応答を含むＩＰパケットを送信する（Ｓ１７２）。
【０１１６】
次に、医療情報端末８は、Ｓ８２〜Ｓ８４の処理を実行する。次に、電子カルテサーバ９はＳ８５〜Ｓ８６の処理を実行する。以上により、一連のシーケンスを終了する。
【０１１７】
第１変形例に係るデータ中継装置７´は、第１通信部１７１を第２通信部１７２に切り換えることによって、ＶＰＮを使用せずに安全に治療データを取得することができる。
【０１１８】
また、第２ネットワークへの接続方法は、携帯電話網を採用することが好ましい。かかる方法を用いれば、既存の第１ネットワークへの影響を最小限にすることができるため、医療機関の負担を最小限にしながら、治療データサーバとの通信を実現することができる。
【０１１９】
当業者は、本発明の精神及び範囲から外れることなく、様々な変更、置換及び修正をこれに加えることが可能であることを理解されたい。
【符号の説明】
【０１２０】
１、１´    医療情報システム
１ａ    第１ネットワーク
１ｂ    第２ネットワーク
４    治療データサーバ
７、７´    データ中継装置
８    医療情報端末
１７１    第１通信部
１７２    第２通信部
７４２、７４２´    切換制御部
７４３    治療データ取得部
７４４    治療データ供給部
７４５、７４５´    切換部
【図１】
2020014153.tif 000003
【図２】
2020014153.tif 000004
【図３】
2020014153.tif 000005
【図４】
2020014153.tif 000006
【図５】
2020014153.tif 000007
【図６】
2020014153.tif 000008
【図７】
2020014153.tif 000009
【図８】
2020014153.tif 000010
【図９】
2020014153.tif 000011
【図１０】
2020014153.tif 000012
【図１１】
2020014153.tif 000013
【図１２】
2020014153.tif 000014
【図１３】
2020014153.tif 000015
【図１４】
2020014153.tif 000016